(57)【要約】【課題】テレビジョン受像装置において、ユーザが視聴制限設定した日時に確実に視聴できなくする。【解決手段】テレビジョン受像装置１は、映像を表示する表示部、表示部を駆動する電源部、及び装置全体を制御するＣＰＵを備える。ＣＰＵは、視聴条件設定部で視聴制限が設定されていると（Ｓ１）、設定された日時が経過したときに（Ｓ２）、パスワード再入力画面を表示し（Ｓ３）、ユーザが再入力したパスワードが、正しい場合は（Ｓ４）、装置の使用を許可し（Ｓ５）、間違っている場合は（Ｓ４でＮＯ）、主電源部を自動的にオフする（Ｓ８）。また、装置の使用の許可（Ｓ５）後に、ユーザが視聴制限設定処理を選択したときは（Ｓ６）、視聴制限設定処理を行う（Ｓ７）。このパスワードの再確認により、ユーザ以外は視聴制限を解除できないので、視聴制限日時になれば確実にテレビジョン受像装置を視聴できなくすることができる。【選択図】図５
2009027338.tif 000002
【特許請求の範囲】
【請求項１】
テレビ放送信号を受信して得た映像信号、又は外部機器から入力される映像信号に基く映像を表示する表示手段と、この表示手段等に電源を供給する電源手段と、装置全体を制御する制御手段と、を備えたテレビジョン受像装置において、
前記いずれかの映像信号に基く映像の視聴制限条件を設定するための視聴条件設定手段と、
前記テレビジョン受像装置の使用を制限するためのパスワードを設定するパスワード設定手段と、
前記パスワード設定手段で設定されたパスワードを確認するために、ユーザにパスワードの再入力を促すパスワード確認促進手段と、
ユーザがパスワードを再入力するためのパスワード再入力手段と、
前記電源手段の電源のオンオフを制御する電源制御手段と、をさらに備え、、
前記視聴条件設定手段より設定される視聴制限条件には、視聴制限する曜日を含む日時が含まれ、
前記制御手段は、
前記視聴条件設定手段で設定された日時が経過したときに、前記パスワード確認促進手段でユーザに、ユーザが前記パスワード設定手段で設定したパスワードを再入力するように促し、ユーザにより前記パスワード再入力手段を用いて再入力されたパスワードが、正しいパスワードである場合は、前記テレビジョン受像装置の使用を許可し、正しいパスワードでなかった場合は、前記電源制御手段を制御して、前記電源手段の電源を自動的にオフすることを特徴とするテレビジョン受像装置。
【請求項２】
前記制御手段は、
前記電源手段の電源がオフの状態であるときに、前記視聴条件設定手段で設定された視聴制限条件により視聴制限される日時に、ユーザが前記電源手段の電源をオンした場合には、前記パスワード確認促進手段でユーザに、前記パスワード設定手段でユーザが設定したパスワードを再入力するように促し、ユーザにより前記パスワード再入力手段を用いて再入力されたパスワードが、正しいパスワードである場合は、前記テレビジョン受像装置の使用を許可し、前記視聴条件設定手段により視聴制限解除を含む視聴制限条件設定の修正を可能にし、正しいパスワードでなかった場合は、前記電源手段の電源を自動的にオフすることを特徴とする請求項１に記載のテレビジョン受像装置。
【請求項３】
前記制御手段は、
ユーザにより前記パスワード再入力手段を用いて再入力されたパスワードが正しいパスワードである場合は、ユーザにより前記パスワード設定手段で設定されたパスワードの変更を可能にしたことを特徴とする請求項１及び請求項２に記載のテレビジョン受像装置。
【発明の詳細な説明】
【技術分野】
【０００１】
本発明は、テレビ放送信号を受信して得られる映像信号、又は外部機器から入力される映像信号に基く映像を視聴できるテレビジョン受像装置に係り、特に、設定された視聴制限日時に、映像を視聴できなくすることができるテレビジョン受像装置に関する。
【背景技術】
【０００２】
一般に、多くのテレビジョン受像機では、受信したテレビ放送番組を表示すると共に、外部機器としてＶＴＲやＤＶＤ、あるいはゲーム機器等を接続し、これらのいずれかの外部機器を選択し、各種録画番組、映像ソフト、テレビゲーム等を表示して視聴できるようになっている。
【０００３】
このようなテレビジョン受像機では、視聴者は数多くの映像を視聴できることが可能であるので、自ずとテレビ視聴時間が長くなってきている、しかし、通常、長時間に亘ってテレビ画面を見続けると、目の疲労や視力の減退を起こす虞があり、特に年少者が夜遅くまでテレビを見たり、テレビゲームを長時間視聴し続ける場合などには、健康的に良くない。
【０００４】
ところで、テレビジョン受像機に視聴制限を加えるものとして、米国などにおいては、視聴制限用のＶ−Ｃｈｉｐと呼ばれる半導体ＬＳＩをテレビジョン受像機に搭載することを義務付け、視聴年齢やコンテンツの内容によって、視聴制限するテレビ受像機がある。しかし、このＶ−Ｃｈｉｐによる視聴制限は、視聴年齢及びコンテンツ内容により親が子供に視聴制限するものであり、親が一緒に居ないときに、放送番組に関係なく夜間等に子供がテレビ番組を見ないように時間制限したり、テレビゲームのようなテレビ番組以外の視聴映像に対して視聴時間を制限することができなかった。
【０００５】
また、子供のテレビ視聴を制限するために、ディスプレイへの映像の表示時間を予め設定した時間に制限し、この設定された時間が経過したときに、ディスプレイ用の電源を自動的にオフし、このオフ後に、リモコン操作以外によって電源が再投入されると、電源オフの前と同じ種類の映像信号入力（例えばゲーム）が選択された場合には、ディスプレイの映像表示をミュート状態（本来の映像を非表示の状態）にし、さらに、このミュート状態において、リモコンからの操作があった場合に、ミュート状態を解除するテレビジョン受像機が知られている（例えば、特許文献１参照）。しかしながら、この装置では、リモコンによりミュート状態を解除できるので、リモコンを子供に渡さないように管理する必要があった。また、通常、リモコンはテレビジョン受像機以外に、ＶＣＲ、ＤＶＤレコーダ等にもテレビ受像機を操作可能なリモコンが備えられているので、家庭内に同じタイプのリモコンが数多く存在し、また、同じタイプのリモコンを電気店などで容易に手に入れることができるため、それらの多くのリモコンも含めて全部管理する必要があり、リモコンの管理に手間が掛かっていた。
【０００６】
また、放送チャンネルと放送時間帯とを入力することにより、視聴制限する番組を設定し、この視聴制限された番組については、通常は正常に視聴ができないようにしておき、予め定められた暗証番号がユーザによって入力されたときのみ、視聴制限された番組を正常に視聴できるようにするテレビ放送受信機が知られている（例えば、特許文献２参照）。しかしながら、この受信機では、テレビ放送番組に限って、その放送時間帯のチャンネルを視聴制限するものであり、外部機器からの映像信号に対しては、視聴制限することができなかった。従って、例えば、ゲーム機器を接続して視聴するテレビゲームの表示を視聴制限することができなかった。
【特許文献１】特開２００４−２３５９２０号公報
【特許文献２】特開平１１−１６４２２１号公報
【発明の開示】
【発明が解決しようとする課題】
【０００７】
本発明は、上記の問題を解決するためになされたものであり、テレビ放送信号を受信して得た映像信号と共に、外部機器から入力される映像信号を視聴できるテレビジョン受像装置において、設定された視聴制限日時に、前記いずれの映像信号も確実に視聴できなくすることができるテレビジョン受像装置を提供することを目的とする。
【課題を解決するための手段】
【０００８】
上記目的を達成するために請求項１の発明は、テレビ放送信号を受信して得た映像信号、又は外部機器から入力される映像信号に基く映像を表示する表示手段と、この表示手段等に電源を供給する電源手段と、装置全体を制御する制御手段と、を備えたテレビジョン受像装置において、前記いずれかの映像信号に基く映像の視聴制限条件を設定するための視聴条件設定手段と、前記テレビジョン受像装置の使用を制限するためのパスワードを設定するパスワード設定手段と、前記パスワード設定手段で設定されたパスワードを確認するために、ユーザにパスワードの再入力を促すパスワード確認促進手段と、ユーザがパスワードを再入力するためのパスワード再入力手段と、前記電源手段の電源のオンオフを制御する電源制御手段と、をさらに備え、、前記視聴条件設定手段より設定される視聴制限条件には、視聴制限する曜日を含む日時が含まれ、前記制御手段は、前記視聴条件設定手段で設定された日時が経過したときに、前記パスワード確認促進手段でユーザに、ユーザが前記パスワード設定手段で設定したパスワードを再入力するように促し、ユーザにより前記パスワード再入力手段を用いて再入力されたパスワードが、正しいパスワードである場合は、前記テレビジョン受像装置の使用を許可し、正しいパスワードでなかった場合は、前記電源制御手段を制御して、前記電源手段の電源を自動的にオフするものである。
【０００９】
請求項２の発明は、請求項１に記載のテレビジョン受像装置において、前記制御手段は、前記電源手段の電源がオフの状態であるときに、前記視聴条件設定手段で設定された視聴制限条件により視聴制限される日時に、ユーザが前記電源手段の電源をオンした場合には、前記パスワード確認促進手段でユーザに、前記パスワード設定手段でユーザが設定したパスワードを再入力するように促し、ユーザにより前記パスワード再入力手段を用いて再入力されたパスワードが、正しいパスワードである場合は、前記テレビジョン受像装置の使用を許可し、前記視聴条件設定手段により視聴制限解除を含む視聴制限条件設定の修正を可能にし、正しいパスワードでなかった場合は、前記電源手段の電源を自動的にオフするものである。
【００１０】
請求項３の発明は、請求項１又は請求項２に記載のテレビジョン受像装置において、前記制御手段は、ユーザにより前記パスワード再入力手段を用いて再入力されたパスワードが正しいパスワードである場合は、ユーザにより前記パスワード設定手段で設定されたパスワードの変更を可能にしたものである。
【発明の効果】
【００１１】
請求項１の発明によれば、視聴制限のために設定された日時が経過したときに、ユーザにより再入力されたパスワードが正しければ、テレビジョン受像装置の使用を許可し、正しくなければ、装置の電源を自動的にオフすることにより、ユーザ以外は視聴制限を解除することができないので、テレビ放送信号を受信して得た映像信号、又は外部機器から入力される映像信号のいずれに基く映像であっても、確実にユーザが設定した時間に視聴制限することができる。これにより、子供が夜遅くテレビ番組を視聴することや、外部機器からのテレビゲームのような映像を長時間視聴することを、親がユーザとなって確実に制限することができる。従って、年少者が年少者に適さない番組を視聴するのを制限できることに加え、番組内容に関係なく夜間のテレビ番組視聴を制限することもできると共に、長時間のテレビゲーム視聴等による目の疲労や視力の減退等を防止することが可能となる。
【００１２】
請求項２の発明によれば、視聴制限時間に入ってテレビジョン受像装置の電源がオフされている状態において、電源をオンしようとしても、再入力したパスワードが正しくない限り、視聴制限を解除することができない。これにより、親がユーザとしてパスワードを設定して視聴制限した状態において、子供が勝手にテレビジョン受像装置の電源をオンしようとしても自動的にテレビジョン受像装置がオフされるので、子供は映像を視聴することができない。従って、親は子供のテレビゲーム等の視聴を確実に制限することができる。
【００１３】
請求項３の発明によれば、パスワードの変更が可能となるので、パスワードを適宜変更することにより、もし、パスワードを設定者以外に知られたとしても直ぐに変更できるので、パスワードの機密性を常に保つことができる。これにより、設定した視聴制限条件の機密が漏れることを防止でき、より確実に視聴制限を行うことができる。
【発明を実施するための最良の形態】
【００１４】
以下、本発明の一実施形態に係るテレビジョン受像装置について、図面を参照して説明する。図１は、本テレビジョン受像装置１の電気ブロック図を示す。図１に示すように、本実施形態のテレビジョン受像装置１は、アンテナ２、チューナ部３、リモコン装置４、リモコン受信部５、映像音声復調部６、映像音声切替部７、映像信号処理部８、ＯＳＤ部（オンスクリーンディスプレイ）９、音声信号処理部１０、表示部（表示手段）１１、スピーカ１２、ＣＰＵ（制御手段）１３、メモリ部１４、ＤＶＤレコーダ１５、ゲーム機１６、及び電源部（電源手段）１７を備える。
【００１５】
アンテナ２は、複数のテレビ放送信号を受信し、チューナ部３は、アンテナ２で受信した複数のテレビ放送信号からリモコン装置４で選択された受信チャンネルを選局し、映像音声復調部６は、この選局されたチャンネルのテレビ放送信号から映像信号及び音声信号を復調し、この復調された映像信号及び音声信号は、映像音声切替部７に供給される。映像音声切替部７は、映像音声復調部６から供給された映像信号及び音声信号と、外部機器のＤＶＤレコーダ１５からの録画された映像信号及び音声信号と、外部機器のゲーム機１６からのゲーム用の映像信号及び音声信号との、いずれかの映像信号及び音声信号をリモコン装置４による指示に応じて切替えて出力する。この映像音声切替部７から出力された映像信号及び音声信号は、それぞれ映像信号処理部８及び音声信号処理部１０に供給される。映像信号処理部８は、映像音声切替部７からの映像信号を信号処理してＲＧＢ信号の映像信号を生成し、このＲＧＢ信号の映像信号をＯＳＤ部９に加える。ＯＳＤ部９は、映像信号処理部８からのＲＧＢ信号の映像信号にＣＰＵ１２で発生させる画面を重畳して、液晶ディスプレイ等からなる表示部１１に表示する。音声信号処理部１０は、映像音声切替部７から供給された音声信号をステレオ音声信号等にデコードし、このデコードされた音声信号はスピーカ１２から拡声される。
【００１６】
リモコン装置４は、電源をオンオフする電源キー、チャンネルを選択するための数字キー、選択決定キー等と共に、表示部１１の画面に視聴制限設定等のメニューを表示するメニューキーを有し、メニューキーを押すと視聴制限を行うための設定メニュー画面が表示されるようになっている。なお、設定メニュー画面への設定は、表示部１１にタッチパネル等を設けて、タッチパネルから入力、設定することも可能である。
【００１７】
ＣＰＵ１３は、本装置１全体を制御すると共に、図２に示すように、視聴条件設定部（視聴条件設定手段）１３ａ、パスワード設定部（パスワード設定手段）１３ｂ、パスワード確認促進部（パスワード確認促進手段）１３ｃ、パスワード再入力部（パスワード再入力手段）１３ｄ、及び電源制御部（電源制御手段）を備える。
【００１８】
視聴条件設定部１３ａは、ユーザがリモコン装置４でメニューを選択したとき、視聴制限の選択を含む設定メニュー画面を表示し、さらに、この設定メニュー画面からユーザが視聴制限を選択したときに、視聴制限選択メニューを表示する。この視聴制限選択メニューは、後述のように視聴制限項目として、視聴制限の日時等を指定する指定日時項目を含んでいる。また、視聴条件設定部１３ａは、視聴制限選択メニューで指定日時項目が選択されたとき、テレビ放送信号を受信して得た映像信号、及び外部機器から入力される映像信号に基く映像の視聴制限条件を設定する。この視聴条件設定部１３ａで設定される視聴制限条件には、視聴制限する曜日を含む日時が含まれる。パスワード設定部１３ｂは、ユーザ入力されたパスワードに基いて、テレビジョン受像装置１の使用を制限するためのパスワードを設定する。パスワード確認促進部１３ｃは、パスワード設定部１３ｂで設定されたパスワードを確認するために、ユーザにパスワードの再入力を促し、パスワード再入力部１３ｄでは、パスワード確認促進部１３ｃにより促されたユーザが再入力したパスワードを受付ける。電源制御部１３ｅは、表示部１１に電源を供給する電源部１７の表示用電源部１７ｄをオンオフ制御すると共に、後述のスタンバイスイッチ１７ｂも制御することができる。
【００１９】
メモリ部１４は、ＣＰＵ１３が実行する各種制御動作に必要なプログラム等を記憶するＲＯＭ、ＲＡＭ及び不揮発性メモリ等の半導体メモリからなり、不揮発性メモリは、表示部１１に表示される設定メニューや、設定された視聴制限条件、及びパスワード等を記憶する。
【００２０】
ＤＶＤレコーダ１５及びゲーム機１６は、本装置１に接続される外部機器であり、それらの映像信号及び音声信号は、映像音声切替部７にそれぞれ接続され、映像音声復調部６からの映像信号、音声信号と共に、リモコン装置４による指示に基いて映像音声切替部７により切替えられる。切替後の映像信号、音声信号は、表示部１１及びスピーカ１２でそれぞれ表示、拡声される。なお、この外部機器は、ＶＣＲ等の他の映像音声記録機器であってもよい。
【００２１】
電源部１７は、交流電源１８に接続された主電源スイッチ１７ａと、主電源スイッチ１７ａに直列に接続されたスタンバイスイッチ１７ｂと、スタンバイスイッチ１７ｂの後に接続される主電源部１７ｃと、主電源部１７ｃに接続される表示用電源部１７ｄと、主電源スイッチ１７ａの後段に接続されるスタンバイ電源部１７ｅとを備えている。
【００２２】
主電源スイッチ１７ａは、ユーザの手動によりオンオフされ、スタンバイスイッチ１７ｂはユーザによる手動、又はリモコン装置４を用いたリモコン操作によりオンオフされる。主電源スイッチ１７ａとスタンバイスイッチ１７ｂが共にオンの場合は、主電源部１７ｃは、外部の交流電源１８から供給されるＡＣ電圧を整流して、直流電圧を生成し、装置１の中の信号処理を行う信号処理部分（ここでは、チューナ部３、映像音声復調部６、映像音声切替部７、映像信号処理部８、ＯＳＤ部９、音声信号処理部１０等の各信号処理部を示す）に必要な電源の直流電圧Ｖａを供給すると共に、表示用電源部１７ｄに表示用直流電源を供給する。表示用電源部１７ｄは、主電源部１７ｃから供給される表示用直流電源を基に、表示部１１を駆動するための表示用直流電圧Ｖｂを発生して、この表示用直流電圧Ｖｂを表示部１１に供給する。スタンバイ電源部１７ｅは、主電源スイッチ１７ａがオンされると、交流電源１８から供給されるＡＣ電圧を基に、ＣＰＵ１３、メモリ部１４及びリモコン受信部５を、スタンバイスイッチ１７ｂがオンされる前に予め起動させておくためのスタンバイ用直流電圧Ｖｃを生成する。このスタンバイ電源部１７ｅにより、主電源スイッチ１７ａがオンのとき、ＣＰＵ１３、メモリ部１４及びリモコン受信部５はスタンバイ用直流電圧Ｖｃが供給され、常に、オン状態にあるので、スタンバイスイッチ１７ｂが、オンされると、直ぐに装置１全体が起動され、表示部１１で映像を表示することができる。また、スタンバイスイッチ１７ｂをオフすることにより、主電源部１７ｃと表示用電源部１７ｄを同時にオフすることができる。
【００２３】
上記構成のテレビジョン受像装置１において、ＣＰＵ１３は、視聴条件設定部１３ａで、ユーザが視聴制限を選択できるための設定メニューを画面表示する。そして、ユーザが、この設定メニューから視聴制限を選択して、視聴条件設定部１３ａで、さらに視聴制限する日時を設定すると、視聴条件設定部１３ａで設定された日時が経過したときに、パスワード確認促進部１３ｃで、ユーザに、ユーザがパスワード設定部１３ｂで設定したパスワードを再入力するように促す。さらに、ＣＰＵ１３は、ユーザによりパスワード再入力部１３ｄで再入力されたパスワードが、正しいパスワードである場合は、テレビジョン受像装置１の使用を許可し、正しいパスワードでなかった場合は、電源制御部１３ｅを制御して、電源部１７の主電源部１７ｃを自動的にオフにする。これにより、テレビジョン受像装置１を視聴制限日時に確実に視聴できなくすることができる。
【００２４】
次に、視聴制限を行うための操作及び設定メニュー画面について、図３（ａ）乃至（ｃ）及び図４（ａ）、（ｂ）を参照して説明する。図３（ａ）は、ユーザが設定リモコン装置４でメニューキーを押した場合に最初に表示される設定メニュー画面を示し、この設定メニュー画面には、時間を設定するための時計設定項目、チャンネルを設定するためのチャンネル設定項目と共に、視聴制限を設定する視聴制限項目が表示部１１に表示される。ユーザが、リモコン装置４を用いて、設定メニュー画面でカーソルを移動して視聴制限項目を選択すると、図３（ｂ）に示すように、曜日を含む指定した日時に視聴制限を行うための日時指定項目を選択する選択メニュー画面が表示される。この視聴制限の選択メニュー画面から、ユーザがリモコン装置４で日時指定項目を選択すると、図３（ｃ）に示されるように、日時指定メニュー画面が表示される。この日時指定メニュー画面は、曜日指定項目Ａ１、時間指定項目Ｂ１、パスワード設定項目Ｃ１を含んでいる。ユーザは、日時指定メニュー画面でリモコン装置４により表示されるカーソルで曜日指定項目Ａ１を選択すると、カーソルは曜日指定項目の下の曜日選択欄Ａ２に自動的に移動し、ユーザは曜日選択欄Ａ２で曜日を選択でき、これにより、指定曜日を設定できる。次に、日時指定メニュー画面で、上記と同様にして、時間指定項目Ｂ１を選択すると、カーソルは自動的に時間入力欄Ｂ２に移動し、ユーザは、時間入力欄Ｂ２においてリモコン装置４の数字キーで視聴制限時間の開始時間と、終了時間を任意に設定できる。また、指定曜日、指定時間の設定が終わると、カーソルはパスワード設定項目Ｃ１に移動し、ユーザがパスワード設定項目Ｃ１の選択を決定すると、カーソルは自動的にパスワード入力欄Ｃ２に移動する。ユーザは、パスワード入力欄Ｃ２においてリモコン装置４の数字キーでパスワードを入力してパスワードを設定することができる。
【００２５】
図４（ａ）における設定メニュー画面において、ユーザが視聴制限項目を選択したときに、パスワードが既に設定されている場合は、直ぐに図４（ｂ）に示すパスワード設定画面が表示される。そして、ユーザがパスワードを入力すると、ＣＰＵ１３は、この入力されたパスワードを確認する。このとき、パスワードが正しければ、テレビジョン受像装置１は、使用可能状態となり、パスワードが間違っていれば、テレビジョン受像装置１の電源は自動的にオフされ、ユーザはテレビジョン受像装置１を視聴できなくなる。これにより、一度設定した視聴制限は、正しいパスワードが入力されない限り、解除されないので確実に視聴制限を行うことができる。また、パスワードが正しければ、視聴制限条件を修正することができると共に、パスワードの変更が可能となる。これにより、パスワードを適宜変更することができ、もし、パスワードを設定者以外に知られたとしても直ぐに変更できるので、パスワードの機密性を常に保つことができる。
【００２６】
次に、本実施形態のテレビジョン受像装置１の動作手順について、図面を参照して説明する。図５に示すように、ＣＰＵ１３は、視聴条件設定部１３ａで視聴制限条件が設定されて、視聴制限設定済みの場合に（Ｓ１でＹＥＳ）、視聴条件設定部１３ａで設定された指定曜日、時間に達したときは（Ｓ２でＹＥＳ）、パスワード確認促進部１３ｃでユーザに、ユーザがパスワード設定部１３ｂで設定したパスワードを再入力するように促すためのパスワード再入力画面を表示部１１に表示する（Ｓ３）。また、ＣＰＵ１３は、ユーザがリモコン装置４を用いて、パスワード再入力部１３ｄで所定時間内に正しいパスワードを入力すると（Ｓ４でＹＥＳ）、テレビジョン受像装置１を視聴制限のない使用可能状態とする（Ｓ５）。また、ＣＰＵ１３は、ユーザが図３（ａ）に示される設定メニューで、視聴制限設定処理を選択すると（Ｓ６）、視聴制限設定処理部１３ｆで視聴制限設定処理（Ｓ７）（図６参照）を実行し、この視聴制限設定処理の実行が終わると、Ｓ２に戻り、Ｓ２からＳ７までの同様の手順の繰返しを行う。また、ＣＰＵ１３は、Ｓ１及びＳ２でＮＯのときは、Ｓ５に移り、テレビジョン受像装置１を使用可能状態とし、Ｓ４でＮＯのときは、電源部１７の主電源部１７ｃをオフにする（Ｓ８）。これにより、視聴制限条件として設定した指定曜日及び指定時間になればパスワードが再入力が促され、パスワードが入力されない場合は、自動的に装置１の電源がオフされるので、パスワードの設定者であるユーザ以外は、視聴制御を解除することができず、確実に視聴制限を行うことができる。
【００２７】
次に、上記の視聴制限設定処理（Ｓ７）の動作手順について、図６を参照して説明する。図６に示すように、ＣＰＵ１３は、ユーザがパスワードを設定済みでない場合は（Ｓ１１でＮＯ）、図３（ｂ）に示される視聴制限の選択メニュー画面を表示する（Ｓ１２）。そして、ＣＰＵ１３は、ユーザがその選択メニュー画面から日時指定を選択した場合は（Ｓ１３でＹＥＳ）、図３（ｃ）で示される日時指定メニューを表示する。そして、ユーザが制限する指定曜日を入力すると共に（Ｓ１４）、制限する指定時間を入力し（Ｓ１５）、さらにパスワードを設定入力すると（Ｓ１６）、ＣＰＵ１３は、メニュー画面を閉じる（Ｓ１７）。また、ＣＰＵ１３は、Ｓ１１でＹＥＳのときは、パスワード入力画面を表示部１１に表示し（Ｓ１８）、ユーザがパスワード設定部１３ｂでパスワードを入力し（Ｓ１９）、この入力されたパスワードが正しい場合は（Ｓ２０でＹＥＳ）、Ｓ１２に移行する。また、Ｓ１３でＮＯのとき、及びＳ２０でＮＯのときは、Ｓ１７に移行してメニュー画面を閉じる。これにより、ユーザが視聴制限したい任意の日時の指定曜日の指定時間に視聴制限日時を設定することができ、かつパスワードにより視聴制限設定情報を保護することができるので、確実に安全に視聴制限を行うことができる。
【００２８】
上述のように、本実施形態のテレビジョン受像装置１によれば、視聴制限のために設定された日時が経過したときに、再入力したパスワードが正しければ、テレビジョン受像装置１の使用を許可し、正しくなければ、テレビジョン受像装置１の電源を自動的にオフすることにより、ユーザ以外は視聴制限を解除することができないので、テレビ放送信号を受信して得た映像信号、又は外部機器から入力される映像信号のいずれに基く映像であっても、確実にユーザが設定した時間に視聴制限することができる。これにより、子供が夜遅くテレビ番組を視聴することや、外部機器からのテレビゲームのような映像を長時間視聴することを、親がユーザとなって確実に制限することができる。従って、年少者が年少者に適さない番組を視聴するのを制限することができることに加え、番組内容に関係なく夜間のテレビ番組視聴を制限することもできると共に、長時間のテレビゲーム視聴等による目の疲労や視力の減退等を防止することが可能となる。
【００２９】
また、視聴制限時間に入ってテレビジョン受像装置１の電源がオフされている状態において、電源をオンしようとしても、再入力したパスワードが正しくない限り、視聴制限を解除することができない。これにより、親がユーザとしてパスワードを設定して視聴制限した状態において、子供が勝手にテレビジョン受像装置１の電源をオンしようとしても自動的にテレビジョン受像装置がオフされるので、子供は映像を視聴することができない。従って、親は子供のテレビゲーム等の視聴を確実に制限することができる。
【００３０】
また、パスワードの変更が可能となるので、パスワードを適宜変更することにより、もし、パスワードを設定者以外に知られたとしても直ぐに変更できるので、パスワードの機密性を常に保つことができる。これにより、設定した視聴制限条件の機密が漏れることを防止でき、より確実に視聴制限を行うことができる。
【００３１】
なお、本発明は各種の実施形態により実現されるが、これらに限られることなく、発明の趣旨を逸脱しない範囲において、任意に変更することができる。例えば、本実施形態ににおいては、視聴制限条件設定における日時指定を、曜日と時間だけで行ったが、日付指定により日付も同様に設定することができる。また、本実施形態では、視聴制限における装置の電源オフを、電源部の主電源部をオフして行ったが、主電源部で発生する信号処理部分の電源をオフさせて映像信号処理部と音声信号処理部をオフすることにより、映像音声を視聴できなくすることもできる。また、本実施形態では、テレビジョン受像装置をチューナ付きとしたが、チューナ付きでないモニタ用のテレビジョン受像機についても同様に視聴制限を適用することができる。
【図面の簡単な説明】
【００３２】
【図１】本発明の一実施形態によるテレビジョン受像装置の電気ブロック構成図。
【図２】は上記装置のＣＰＵの構成を説明する図。
【図３】（ａ）は上記装置において表示される設定メニュー画面を説明するための図、（ｂ）は、視聴制限選択メニュー画面を説明する図、（ｃ）は、日時指定メニュー画面を説明する図。
【図４】（ａ）は上記装置において表示されるパスワード設定後の設定メニュー画面を示す図、（ｂ）はパスワード入力画面を示す図。
【図５】上記装置の動作手順を示すフローチャート。
【図６】上記動作手順の視聴制限設定処理の動作手順を示すフローチャート。
【符号の説明】
【００３３】
１  テレビジョン受像装置
１１  表示部（表示手段）
１３  ＣＰＵ（制御手段）
１３ａ  視聴条件設定部（視聴条件設定手段）
１３ｂ  パスワード設定部（パスワード設定手段）
１３ｃ  パスワード確認促進部（パスワード確認促進手段）
１３ｄ  パスワード再入力部（パスワード再入力手段）
１３ｅ  電源制御部（電源制御手段）
１７  電源部（電源手段）
１７ｄ  表示用電源部（電源手段）
【図１】
2009027338.tif 000003
【図２】
2009027338.tif 000004
【図３】
2009027338.tif 000005
【図４】
2009027338.tif 000006
【図５】
2009027338.tif 000007
【図６】
2009027338.tif 000008